(57)【要約】      （修正有）【課題】高温の使用済み食用油を精製機に安全に移し替える電動ハンドポンプを提供する。【解決手段】回収容器に回収した高温の使用済み食用油に、電動ハンドポンプ１のウイング収容部を突っ込み、押しボタンスイッチ１３をＯＮにすることでモータ２を駆動させると、ウイング６が回転することで発生する吸い込み力によってケーシング９の頭頂部に有する突起部８の側部の開口部７から使用済み油がケーシング９の内部に吸い込まれた後、筒体５の内部において吸い上げられ、接続部に設けた排出口１４から排出される。回転軸４の根元にはオイルシール１５が組み込まれており、筒体５の内部において吸い上げられた使用済み油がモータ収容部に流入することを阻止している。なお、この電動ハンドポンプ１には、本体を回収容器の縁に引っ掛けるための引っ掛け部材１６が接続部の下部に取り付けられている。【選択図】図１
0003175373.tif 000002
【実用新案登録請求の範囲】
【請求項１】
液槽内の液体を吸い上げて液槽から排出するための電動ハンドポンプであって、モータが収容されたモータ収容部と、モータの出力軸に連結された金属製の回転軸が金属製の筒体に収容された回転軸収容部と、回転軸の先端に取り付けられた金属製のウイングが側部に開口部を備えた突起部を頭頂部に有するドーム状の金属製のケーシングに収容されたウイング収容部と、モータ収容部と回転軸収容部の間に位置する耐熱合成樹脂製の接続部を基本構成とし、ウイングはその先端がドーム状のケーシングの内壁に沿って回転する形状であり、ウイング収容部を液槽内の液体に突っ込んでモータを駆動させると、ウイングが回転することで発生する吸い込み力によってケーシングの頭頂部に有する突起部の側部の開口部から液体がケーシングの内部に吸い込まれた後、筒体の内部において吸い上げられ、接続部に設けた排出口から排出されるようにしてなることを特徴とする電動ハンドポンプ。
【考案の詳細な説明】
【技術分野】
【０００１】
本考案は、高温の使用済み食用油を精製機に移し替える際などに重宝する電動ハンドポンプに関する。
【背景技術】
【０００２】
例えば天ぷらやフライなどの揚げ物加工に使用される食用油は、繰返し使用すると、次第に劣化して酸化されたり、着色したりする。このため、外食産業の店舗などにおいては、その日の営業が終了した後、使用済み食用油を、活性炭、活性白土、珪藻土などからなる濾材で濾過することでその精製を行い、使用耐久性を向上させることが行われている。食用油精製機としては、例えば、底面全体に多数のパンチング孔が設けられた上部開口状の上容器と、上容器に嵌合する上部開口状の下容器とからなり、上容器の底面全体にわたって濾材を袋詰めしたものを配置することで、上容器の上方から注ぎ込んだ使用済み油を濾過し、自然落下した精製油を下容器に回収するようにしたものが知られている。こうした精製機を用いて使用済み油を精製する場合、調理用の油槽の底部に設けられたドレインを介して使用済み油を回収容器に回収した後、回収容器を手で持ち上げて容器内の使用済み油を精製機の上容器に移し替えることで行われているが、この作業をその日の営業が終了した直後に行うとすると、使用済み油は依然として高温の状態にあるので、この作業には危険を伴う。使用済み油の温度が十分に低下してから作業を行えば危険はなくなるが、それまでには何時間も待たなければならないので作業効率が悪い。加えて、使用済み油が入った回収容器を手で持ち上げて行う作業は、作業者にとって負担が大きい。
【考案の概要】
【考案が解決しようとする課題】
【０００３】
そこで本考案は、高温の使用済み食用油を精製機に移し替える際などに重宝する電動ハンドポンプを提供することを目的とする。
【課題を解決するための手段】
【０００４】
上記の点に鑑みてなされた本考案の電動ハンドポンプは、請求項１記載の通り、液槽内の液体を吸い上げて液槽から排出するための電動ハンドポンプであって、モータが収容されたモータ収容部と、モータの出力軸に連結された金属製の回転軸が金属製の筒体に収容された回転軸収容部と、回転軸の先端に取り付けられた金属製のウイングが側部に開口部を備えた突起部を頭頂部に有するドーム状の金属製のケーシングに収容されたウイング収容部と、モータ収容部と回転軸収容部の間に位置する耐熱合成樹脂製の接続部を基本構成とし、ウイングはその先端がドーム状のケーシングの内壁に沿って回転する形状であり、ウイング収容部を液槽内の液体に突っ込んでモータを駆動させると、ウイングが回転することで発生する吸い込み力によってケーシングの頭頂部に有する突起部の側部の開口部から液体がケーシングの内部に吸い込まれた後、筒体の内部において吸い上げられ、接続部に設けた排出口から排出されるようにしてなることを特徴とする。
【考案の効果】
【０００５】
本考案によれば、高温の使用済み食用油を精製機に移し替える際などに重宝する電動ハンドポンプを提供することができる。
【図面の簡単な説明】
【０００６】
【図１】本考案の電動ハンドポンプの一例の内部透視図である。
【図２】同、平面図である。
【図３】同、使用例である。
【考案を実施するための形態】
【０００７】
以下、本考案の電動ハンドポンプを図面に基づいて説明するが、本考案の電動ハンドポンプは以下の記載に限定して解釈されるものではない。
【０００８】
図１は、本考案の電動ハンドポンプの一例の内部透視図、図２はその平面図、図３はその使用例である。この電動ハンドポンプ１は、モータ２が収容されたモータ収容部と、モータ２の出力軸にカップリング３を介して連結された金属製の回転軸４が金属製の筒体５に収容された回転軸収容部と、回転軸４の先端に取り付けられた金属製のウイング６が側部に開口部７を備えた突起部８を頭頂部に有するドーム状の金属製のケーシング９に収容されたウイング収容部と、モータ収容部と回転軸収容部の間に位置する耐熱合成樹脂製の接続部を基本構成とする。ウイング６はその先端がドーム状のケーシング９の内壁に沿って回転する形状である。回転軸４、筒体５、ウイング６、ケーシング９は、例えば高温の使用済み食用油に繰り返し触れても変形したり腐食したりすることがない例えばステンレス製である。接続部は例えば耐熱性ナイロン製である。モータ収容部と接続部は皿ビス１０を用いて固定されている。接続部と回転軸収容部はホルダーブラケット１１を用いて固定されている。回転軸収容部とウイング収容部は丸子ネジ１２を用いて固定されている。
【０００９】
この電動ハンドポンプ１は、押しボタンスイッチ１３をＯＮにすることでモータ２が駆動する。図３に示すように、例えば回収容器に回収した高温の使用済み食用油に、電動ハンドポンプ１のウイング収容部を突っ込み、押しボタンスイッチ１３をＯＮにすることでモータ２を駆動させると、ウイング６が回転することで発生する吸い込み力によってケーシング９の頭頂部に有する突起部８の側部の開口部７から使用済み油がケーシング９の内部に吸い込まれた後、筒体５の内部において吸い上げられ、接続部に設けた排出口１４から排出される（図１、３における使用済み油の流れを示す矢印を参照のこと）。回転軸４の根元にはオイルシール１５が組み込まれており、筒体５の内部において吸い上げられた使用済み油がモータ収容部に流入することを阻止している。なお、この電動ハンドポンプ１には、本体を回収容器の縁に引っ掛けるための引っ掛け部材１６が接続部の下部に取り付けられている。このように、本考案の電動ハンドポンプ１を用いれば、高温の使用済み食用油が入った回収容器を手で持ち上げるといった危険を伴う作業を行うことなく、高温の使用済み油を精製機に移し替えることができる。
【００１０】
なお、この電動ハンドポンプ１を用いて高温の使用済み食用油を回収容器から精製機に移し替えると、電動ハンドポンプ１の金属製の回転軸収容部やウイング収容部は高温の使用済み油によって熱せられ、また、接続部の内部を高温の使用済み油が通過することになるが、接続部は熱伝導性が低い合成樹脂製であるので、回転軸収容部やウイング収容部の熱や接続部の内部を通過する使用済み油の熱はモータ収容部に伝わりにくい。従って、この電動ハンドポンプ１は、モータ２が使用済み油の高温によって損傷を受けることが回避されている。しかしながら、より安全を確保するため、この電動ハンドポンプ１は、モータ収容部が必要以上に高温になった場合にモータ２の駆動を停止するための温度ブレーカー１７を備えている。
【００１１】
以上の説明は、本考案の電動ハンドポンプを、回収容器に回収した高温の使用済み食用油を精製機に移し替える際に用いる場合のものであるが、本考案の電動ハンドポンプの用途はこうした用途に限定されるものではなく、各種の液槽内の液体の排出や移し替えなどに用いることができることは言うまでもない。
【産業上の利用可能性】
【００１２】
本考案は、高温の使用済み食用油を精製機に移し替える際などに重宝する電動ハンドポンプを提供することができる点において産業上の利用可能性を有する。
【符号の説明】
【００１３】
１  電動ハンドポンプ
２  モータ
３  カップリング
４  回転軸
５  筒体
６  ウイング
７  開口部
８  突起部
９  ケーシング
１０  皿ビス
１１  ホルダーブラケット
１２  丸子ネジ
１３  押しボタンスイッチ
１４  排出口
１５  オイルシール
１６  引っ掛け部材
１７  温度ブレーカー
【図１】
0003175373.tif 000003
【図２】
0003175373.tif 000004
【図３】
0003175373.tif 000005